(57)【特許請求の範囲】
【請求項１】
運搬車両のキャブ後面に据え付けられて上下方向に延在し且つその上側で隣り合う二側面間に亘り開口した空気取入口から外気をエンジン用吸気として取り入れる吸気ダクトであって、前記空気取入口を上側に開口して外殻構造を成すダクト本体と、前記空気取入口を被覆して外気以外の侵入を阻むルーバーとを備え、前記空気取入口における相対的に大きく開口している方の側面を被覆するルーバーの羽板を、その幅方向の姿勢が前記隣り合う二側面の境界側へ向け下り勾配を成すように傾斜配置したことを特徴とする吸気ダクト。
【請求項２】
空気取入口における相対的に小さく開口している方の側面を被覆するルーバーの羽板についても、その幅方向の姿勢が前記空気取入口の隣り合う二側面の境界側へ向け下り勾配を成すように傾斜配置したことを特徴とする請求項１に記載の吸気ダクト。
【請求項３】
ルーバーの羽板の傾斜配置が水平を基準として０°より大きく且つ３０°より小さな角度範囲で行われていることを特徴とする請求項１又は２に記載の吸気ダクト。
【発明の詳細な説明】
【技術分野】
【０００１】
本発明は、吸気ダクトに関するものである。
【背景技術】
【０００２】
一般的に、トラック等の大型の運搬車両は、普通乗用車と比べて未舗装の悪路を走行する機会が多い為、エンジンの吸気としては、塵埃が多く含まれている地面付近の空気ではなく、地面から十分高い部分の清浄な空気を取り入れることが好ましく、また、地面付近では雨水や積雪の跳ね上げを一緒に取り込んでしまう虞れもあるため、地面から十分高い部分で空気だけを確実に取り入れることが好ましい。
【０００３】
この為、大型の運搬車両においては、図７に一例を示すように、キャブａの後面に上下方向に長く延在する吸気ダクトｂを据え付けるようにしており、この種の吸気ダクトｂは、外気をエンジン用吸気として取り入れる空気取入口ｃを上側に開口して外殻構造を成すダクト本体ｄと、前記空気取入口ｃを被覆して外気以外の侵入を阻むルーバーｅとを備えて構成されている。
【０００４】
ここで、前記吸気ダクトｂにおいては、空気取入口ｃが車両後方へ向けて大きく開口するようになっているが、図示の如き車幅方向外側の右側面まで回り込んで開口するようになっているものもあり、このように隣り合う二側面間に亘り空気取入口ｃが開口した構造によれば、荷台の幌が吸気ダクトｂの後面に被さっても前記空気取入口ｃが完全に閉塞されてしまうことを防ぐことができ、外気が取り込めなくなることによりエンジンが失火してしまう虞れを未然に回避することができる。
【０００５】
尚、この種の吸気ダクトに関連する先行技術文献情報としては下記の特許文献１等が既に提案されている。
【先行技術文献】
【特許文献】
【０００６】
【特許文献１】特許第５３２５７６４号公報
【発明の概要】
【発明が解決しようとする課題】
【０００７】
しかしながら、前述した如き従来構造にあっては、図８に模式的に示す如く、空気取入口ｃの隣り合う後面と右側面の夫々から吸い込まれる外気の流れ（図８中の矢印Ａ，Ｂ）がダクト本体ｄの内部で衝突してしまい、これにより吸気抵抗の大幅な増加を招いてしまうという問題があった。
【０００８】
本発明は上述の実情に鑑みてなしたもので、空気取入口の隣り合う二側面から吸い込まれる外気の流れの衝突を回避して吸気抵抗の低減化を図ることを目的とする。
【課題を解決するための手段】
【０００９】
本発明は、運搬車両のキャブ後面に据え付けられて上下方向に延在し且つその上側で隣り合う二側面間に亘り開口した空気取入口から外気をエンジン用吸気として取り入れる吸気ダクトであって、前記空気取入口を上側に開口して外殻構造を成すダクト本体と、前記空気取入口を被覆して外気以外の侵入を阻むルーバーとを備え、前記空気取入口における相対的に大きく開口している方の側面を被覆するルーバーの羽板を、その幅方向の姿勢が前記隣り合う二側面の境界側へ向け下り勾配を成すように傾斜配置したことを特徴とするものである。
【００１０】
而して、このようにすれば、空気取入口の隣り合う二側面のうち、相対的に大きく開口している方の側面から吸い込まれる外気の流れが、ルーバーの羽板の傾斜配置により隣の側面から吸い込まれる外気の流れとの衝突を避ける方向に曲げられ、これにより空気取入口の隣り合う二側面から吸い込まれる外気の流れの衝突が回避されて吸気抵抗の大幅な低減化が図られることになる。
【００１１】
また、本発明においては、空気取入口における相対的に小さく開口している方の側面を被覆するルーバーの羽板についても、その幅方向の姿勢が前記空気取入口の隣り合う二側面の境界側へ向け下り勾配を成すように傾斜配置することが好ましく、このようにすれば、空気取入口の隣り合う二側面から吸い込まれる外気の流れの両方が互いを避けるように曲げられて一層確実な衝突回避が成されることになる。
【００１２】
更に、本発明においては、ルーバーの羽板の傾斜配置が水平を基準として０°より大きく且つ３０°より小さな角度範囲で行われていることが好ましく、このようにすれば、雨水や雪等といった外気以外の侵入を阻むルーバーとしての本来の機能を確実に保つことが可能となる。
【００１３】
即ち、ルーバーの羽板を傾斜配置するといっても、水平を基準として過剰に傾斜させてしまうと、雨水や雪等といった外気以外の侵入が起こり易くなってルーバーとしての本来の機能が損なわれてしまうことになりかねないが、ルーバーの羽板の傾斜配置を０°より大きく且つ３０°より小さな角度範囲で行えば、ルーバーとしての本来の機能を大きく損なうことはない。
【発明の効果】
【００１４】
上記した本発明の吸気ダクトによれば、下記の如き種々の優れた効果を奏し得る。
【００１５】
（Ｉ）本発明の請求項１に記載の発明によれば、空気取入口における相対的に大きく開口している方の側面を被覆するルーバーの羽板を傾斜配置したことにより、空気取入口の隣り合う二側面から吸い込まれる外気の流れの衝突を回避して吸気抵抗の低減化を図ることができ、これによりエンジンの燃費を従来よりも大幅に向上することができる。
【００１６】
（ＩＩ）本発明の請求項２に記載の発明によれば、空気取入口における相対的に小さく開口している方の側面を被覆するルーバーの羽板についても傾斜配置することにより、空気取入口の隣り合う二側面から吸い込まれる外気の流れの両方を互いを避けるように曲げて一層確実な衝突回避を実現することができる。
【００１７】
（ＩＩＩ）本発明の請求項３に記載の発明によれば、ルーバーの羽板の傾斜配置を０°より大きく且つ３０°より小さな角度範囲で行うことにより、雨水や雪等といった外気以外の侵入を阻むルーバーとしての本来の機能を確実に保つことができる。
【図面の簡単な説明】
【００１８】
【図１】本発明を実施する形態の一例を示す斜視図である。
【図２】図１の吸気ダクトの詳細を示す拡大図である。
【図３】図２の吸気ダクトを車両後方から見た図である。
【図４】図１の吸気ダクトにおける二側面からの外気の流れを示す模式図である。
【図５】本発明の別の形態例を示す拡大図である。
【図６】図５の吸気ダクトにおける二側面からの外気の流れを示す模式図である。
【図７】従来例を示す斜視図である。
【図８】図７の吸気ダクトにおける二側面からの外気の流れを示す模式図である。
【発明を実施するための形態】
【００１９】
以下本発明の実施の形態を図面を参照しつつ説明する。
【００２０】
図１〜図４は本発明を実施する形態の一例を示すもので、図１〜図３に示す如く、本形態例における吸気ダクト１は、先に図７で説明した従来の吸気ダクトｂの場合と同様に、運搬車両のキャブ２（図１参照）の後面に据え付けられて上下方向に延在し且つその上側で隣り合う二側面間に亘り開口した空気取入口３から外気をエンジン用吸気として取り入れるように構成されているが、前記空気取入口３を上側に開口して外殻構造を成すダクト本体４と、前記空気取入口３を被覆して外気以外の侵入を阻むルーバー５とを備え、前記空気取入口３における相対的に大きく開口している方の側面を被覆するルーバー５の羽板５ａを、その幅方向（外気の吸い込み方向に対し直角な水平方向）の姿勢が前記隣り合う二側面の境界側へ向け下り勾配を成すように傾斜配置したところを特徴としている。
【００２１】
即ち、ここに図示している例の場合、ダクト本体４が車幅方向に扁平な矩形断面を成すように形成されていて、主として後面を相対的に大きく開口して右側面にもそのまま回り込んだ空気取入口３となっており、この隣り合う後面と右側面の相互間に亘り開口した空気取入口３を被覆するルーバー５において、前記後面を被覆している羽板５ａの幅方向の姿勢が前記後面と右側面の境界側へ向け下り勾配を成すように傾斜配置されている。
【００２２】
この際、前記空気取入口３の後面を被覆するルーバー５の羽板５ａの傾斜配置は、水平を基準として０°より大きく且つ３０°より小さな角度範囲で行われていることが好ましく、特に図示している例においては、約１５°程度の傾斜角度で傾斜配置するようにしているが、図示にて前記空気取入口３の右側面を被覆しているルーバー５の羽板５ｂについては、従来通り水平配置のままとしている。
【００２３】
尚、ルーバー５の各羽板５ａが、外気以外の侵入を阻む本来の機能を果たすために、外気の吸い込み方向に上り勾配を成すような傾斜角を有しており、この外気の吸い込み方向における傾斜角を有したまま後面側の羽板５ａが幅方向にも傾斜配置されるようになっていることは勿論である。
【００２４】
而して、このようにすれば、図４に模式的に示す如く、空気取入口３の隣り合う後面と右側面のうち、相対的に大きく開口している後面から吸い込まれる外気の流れ（図４中の矢印Ａ）が、ルーバー５の羽板５ａの傾斜配置により隣の右側面から吸い込まれる外気の流れ（図４中の矢印Ｂ）との衝突を避ける方向に曲げられ、これにより空気取入口３の隣り合う後面と右側面から吸い込まれる外気の流れの衝突が回避されて吸気抵抗の大幅な低減化が図られることになる。
【００２５】
更に、特に本形態例においては、ルーバー５の羽板５ａの傾斜配置が水平を基準として０°より大きく且つ３０°より小さな角度範囲で行われているので、雨水や雪等といった外気以外の侵入を阻むルーバー５としての本来の機能を確実に保つことが可能となる。
【００２６】
即ち、ルーバー５の羽板５ａを傾斜配置するといっても、水平を基準として過剰に傾斜させてしまうと、雨水や雪等といった外気以外の侵入が起こり易くなってルーバー５としての本来の機能が損なわれてしまうことになりかねないが、ルーバー５の羽板５ａの傾斜配置を０°より大きく且つ３０°より小さな角度範囲で行えば、ルーバー５としての本来の機能を大きく損なうことはない。
【００２７】
従って、上記形態例によれば、空気取入口３における相対的に大きく開口している後面を被覆するルーバー５の羽板５ａを傾斜配置したことにより、空気取入口３の隣り合う後面と右側面から吸い込まれる外気の流れの衝突を回避して吸気抵抗の低減化を図ることができるので、エンジンの燃費を従来よりも大幅に向上することができ、しかも、雨水や雪等といった外気以外の侵入を阻むルーバー５としての本来の機能を確実に保つこともできる。
【００２８】
また、図５は本発明の別の形態例を示すもので、本形態例においては、空気取入口３における相対的に小さく開口している右側面を被覆するルーバー５の羽板５ｂについても、その幅方向の姿勢が前記空気取入口３の隣り合う後面と右側面の境界側へ向け下り勾配を成すように傾斜配置しており、このようにすれば、図６に模式的に示す如く、空気取入口３の隣り合う後面と右側面から吸い込まれる外気の流れの両方（図６中の矢印Ａ，Ｂ）が互いを避けるように曲げられて一層確実な衝突回避が成されることになる。
【００２９】
尚、本発明の吸気ダクトは、上述の形態例にのみ限定されるものではなく、本発明の要旨を逸脱しない範囲内において種々変更を加え得ることは勿論である。
【符号の説明】
【００３０】
１      吸気ダクト
２      キャブ
３      空気取入口
４      ダクト本体
５      ルーバー
５ａ    羽板
５ｂ    羽板
【図１】
0006556605.tif 000002
【図２】
0006556605.tif 000003
【図３】
0006556605.tif 000004
【図４】
0006556605.tif 000005
【図５】
0006556605.tif 000006
【図６】
0006556605.tif 000007
【図７】
0006556605.tif 000008
【図８】
0006556605.tif 000009